(57)【要約】【課題】表示輝度の高い映像であっても、フリッカの発生を低減して有機ＥＬ素子に流す電流量を抑制することのできるアクティブマトリクス型表示装置を提供する。【解決手段】基板上にマトリクス状に配置された複数の画素部ＰＸと、画素部に映像信号に対応する信号を供給する信号線駆動部１０１と、行単位の画素部を選択する選択走査線駆動部１３０と、画素部の表示素子の発光電流を断続する調光走査線駆動部１４０と、前記映像信号に基づいて点灯率を算出する点灯率算出部（１２１，１２２）と、前記点灯率に基づいて行単位で前記画素部の表示素子の発光電流の断続を制御する制御部（１２３）とを備え、前記制御部は、連続したｎ行の画素に供給する発光電流を遮断した帯状の非点灯領域（３０１）を２以上の所定数形成するとともに、水平同期信号に同期して前記非点灯領域を１画素行づつ移動させ、前記点灯率の増減に対応して前記ｎを増減するアクティブマトリクス型表示装置である。【選択図】図７
2009265339.tif 000002
【特許請求の範囲】
【請求項１】
基板上にマトリクス状に配置された複数の画素部と、
列毎に設けられ各列のそれぞれの画素部と接続する信号線に映像信号に対応する信号を供給する信号線駆動部と、
行毎に設けられ各行のそれぞれの画素部と接続して前記映像信号に対応した行単位の画素部を選択する選択走査線を駆動する選択走査線駆動部と、
行毎に設けられ各行のそれぞれの画素部と接続して当該画素部の表示素子の発光電流を断続する制御信号を供給する調光走査線を駆動する調光走査線駆動部と、
前記映像信号に基づいて点灯率を算出する点灯率算出部と、
前記点灯率に基づいて行単位で前記画素部の表示素子の発光電流の断続を制御する制御部とを備え、
前記制御部は、
連続したｎ行の画素に供給する発光電流を遮断した帯状の非点灯領域を２以上の所定数形成するとともに、水平同期信号に同期して前記非点灯領域を１画素行づつ移動させ、前記点灯率の増減に対応して前記ｎを増減すること
を特徴とするアクティブマトリクス型表示装置。
【請求項２】
表示される前記非表示領域の所定数は一定であることを特徴とする請求項１に記載のアクティブマトリクス型表示装置。
【請求項３】
前記制御部は、前記点灯率を複数垂直期間の映像信号に基づいて求めることを特徴とする請求項２に記載のアクティブマトリクス型表示装置。
【請求項４】
隣接する前記非表示領域の間隔は等しいことを特徴とする請求項２に記載のアクティブマトリクス型表示装置。
【請求項５】
前記制御部は、前記点灯率と対応する前記ｎの値とを規定した基準テーブルに基づいて前記非表示領域を形成することを特徴とする請求項２に記載のアクティブマトリクス型表示装置。
【請求項６】
前記制御部は、前記映像信号から発光電流を求め、求めた発光電流から前記点灯率を算出することを特徴とする請求項２に記載のアクティブマトリクス型表示装置。
【発明の詳細な説明】
【技術分野】
【０００１】
本発明は、アクティブマトリクス型表示装置に係り、特には、点灯率に応じて表示素子の発光時間を制御する機能を備えたアクティブマトリクス型表示装置に関する。
【背景技術】
【０００２】
有機ＥＬ素子を用いたアクティブマトリクス型表示装置が開発されている。有機ＥＬ素子は自ら発光する発光素子であり、その有機ＥＬ素子に流れる電流量に応じて輝度が変化する。このような関係を利用して、このアクティブマトリクス表示装置では、マトリクス状に設けた有機ＥＬ素子に、画素内部に設けたトランジスタによって映像信号に対応した電流を流すことによって映像を表示する。
【０００３】
従って、輝度の高い画像を表示する場合は、有機ＥＬ素子に大きな電流を流すこととなるため、有機ＥＬ素子の劣化を早めることにつながり、また大きな容量の電源を必要とする。
【０００４】
そこで、このような問題を解決するため、表示輝度に応じて有機ＥＬ素子に流す電流量を抑制する制御方法が提案されている（例えば、特許文献１参照）。
【特許文献１】特開２００６−０２３３９８号公報
【発明の開示】
【発明が解決しようとする課題】
【０００５】
ところで、特許文献１に記載の技術では、表示輝度が大きくなるにつれて、同時刻に点灯している走査線の数が減少し、表示輝度が高い場合には、点灯している走査線の数が少なくなっている。このため、表示輝度が一定量変動することに伴って変動する走査線の数が同じであったとしても、高輝度の場合には低輝度の場合と比較すると走査線数の変化の割合が大きくなる。この結果、表示輝度の変化も大きくなり、フリッカが発生する。
【０００６】
本発明はこのような問題点に鑑みてなされたものであり、表示輝度の高い映像であっても、フリッカの発生を低減して有機ＥＬ素子に流す電流量を抑制することのできるアクティブマトリクス型表示装置を提供することを目的とする。
【課題を解決するための手段】
【０００７】
上記課題を解決するための本発明に係るアクティブマトリクス型表示装置は、基板上にマトリクス状に配置された複数の画素部と、列毎に設けられ各列のそれぞれの画素部と接続する信号線に映像信号に対応する信号を供給する信号線駆動部と、行毎に設けられ各行のそれぞれの画素部と接続して前記映像信号に対応した行単位の画素部を選択する選択走査線を駆動する選択走査線駆動部と、行毎に設けられ各行のそれぞれの画素部と接続して当該画素部の表示素子の発光電流を断続する制御信号を供給する調光走査線を駆動する調光走査線駆動部と、前記映像信号に基づいて点灯率を算出する点灯率算出部と、前記点灯率に基づいて行単位で前記画素部の表示素子の発光電流の断続を制御する制御部とを備え、前記制御部は、連続したｎ行の画素に供給する発光電流を遮断した帯状の非点灯領域を２以上の所定数形成するとともに、水平同期信号に同期して前記非点灯領域を１画素行づつ移動させ、前記点灯率の増減に対応して前記ｎを増減するアクティブマトリクス型表示装置である。
【発明の効果】
【０００８】
本発明によれば、表示輝度の高い映像であっても、フリッカの発生を低減して有機ＥＬ素子に流す電流量を抑制することのできるアクティブマトリクス型表示装置を得ることができる。
【発明を実施するための最良の形態】
【０００９】
以下、本発明の態様について、図面を参照しながら詳細に説明する。なお、各図において、同様又は類似した機能を発揮する構成要素には同一の参照符号を付し、重複する説明は省略する。  
なお以下の実施の形態では、アクティブマトリクス型表示装置の内、有機ＥＬ表示装置について説明するが、本発明は有機ＥＬに限定されない。
【００１０】
図１は、本発明の実施の形態に係るアクティブマトリクス型表示装置を概略的に示すブロック図である。この表示装置１０は、アクティブマトリクス型駆動方式を採用した下面発光型の有機ＥＬ表示装置である。
【００１１】
表示装置１０のガラスなどの絶縁支持基板１００上には、マトリクス状に配置された画素部ＰＸ（１，１）、ＰＸ（１，２）・・・、複数の画素選択走査線Ｓ１ａ、Ｓ２ａ、・・・、複数の調光走査線Ｓ１ｂ、Ｓ２ｂ、・・・、複数の信号線ＤＬ１、ＤＬ２、・・・が設けられている。  
更に絶縁支持基板１００上には、信号線駆動回路１０１、画素選択走査線駆動回路１３０、調光走査線駆動回路１４０及びシステム制御部１２０が駆動回路として備えられている。
【００１２】
画素部ＰＸは、有機ＥＬ素子と画素駆動回路とを含み、画素選択走査線（調光走査線）と信号線との交差部近傍に配置されている。この画素部ＰＸの構成については後でその詳細を説明する。
【００１３】
信号線駆動回路１０１には、画素の列毎に設けられた信号線ＤＬ１，ＤＬ２，ＤＬ３，…が接続されている。信号線ＤＬ１、ＤＬ２、・・・は、図１に示すように、各々が画素部ＰＸの列方向（Ｙ方向）に伸びており、画素部ＰＸと行方向（Ｘ方向）に交互に配列している。これら信号線ＤＬ１、ＤＬ２、・・・は、信号線駆動回路１０１と各列の画素部ＰＸとに接続されている。
【００１４】
また、画素選択走査線駆動回路１３０には、画素の行毎に設けられた走査線が接続されている。１つの画素行に対応する走査線の構成は、画素駆動回路のタイプにより異なるので、ここでは、各行に１本の画素選択走査線Ｓｌａ，Ｓ２ａ，…を代表して示している。画素選択走査線Ｓ１ａ、Ｓ２ａ、・・・は、図１に示すように、各々が画素部ＰＸの行方向（Ｘ方向）に伸びており、画素部ＰＸと列方向（Ｙ方向）に交互に配列している。これら画素選択走査線Ｓ１ａ、Ｓ２ａ、・・・は、画素選択走査線駆動回路１３０と各行の画素部ＰＸとに接続されている。
【００１５】
また、調光走査線駆動回路１４０には、画素の行毎に設けられた走査線が接続されている。１つの画素行に対応する走査線の構成は、画素駆動回路のタイプにより異なるので、ここでは、各行に１本の画素選択走査線Ｓ１ｂ，Ｓ２ｂ，…を代表して示している。調光走査線Ｓ１ｂ、Ｓ２ｂ、・・・は、図１に示すように、各々が画素部ＰＸの行方向（Ｘ方向）に伸びており、画素部ＰＸと列方向（Ｙ方向）に交互に配列している。
【００１６】
信号線駆動回路１０１と画素選択走査線駆動回路１３０と調光走査線駆動回路１４０は、システム制御部１２０からのタイミングパルスにより駆動される。システム制御部１２０には、入力端子１０３，１０４を介して、映像信号に同期したタイミング信号及びクロック信号が供給される。従って、システム制御部１２０は、信号線駆動回路１０１と画素選択走査線駆動回路１３０と調光走査線駆動回路１４０に対して、映像信号に同期した各種のタイミングパルスを与えることができる。
【００１７】
またシステム制御部１２０は、入力端子１０２を介して映像信号（画像データと称しても良い）を取り込み、この映像信号から点灯率を求める。ここで、本実施の形態における点灯率は、それぞれの画素部ＰＸの有機ＥＬの発光輝度を積算した値として定義する。  
そしてシステム制御部１２０は、求めた点灯率に基づいて電流量を抑制するように調光走査線駆動回路１４０に対するタイミング信号を制御する。なお、システム制御部１２０の詳細の構成は後述する。
【００１８】
画素選択走査線駆動回路１３０は、映像信号を記憶させるために、行方向（Ｘ方向）に配列した複数の画素部ＰＸを選択する。画素選択走査線駆動回路１３０が、画素選択走査線Ｓ１ａ、Ｓ２ａ、・・・のいずれかを選択してアクティブ状態にすると、アクティブ状態となった画素選択走査線に接続する複数の画素部ＰＸが映像信号を記憶可能な状態となる。
【００１９】
信号線駆動回路１０１は、システム制御部１２０を介して映像信号を取り込む。取込んだ映像信号は、データ出力部ＤＯ１，ＤＯ２，・・・を介して行方向（Ｘ方向）の各画素部ＰＸ毎の映像信号電流に変換され、対応する信号線ＤＬ１、ＤＬ２、・・・に出力される。アクティブ状態となっている画素部ＰＸが、対応する信号線ＤＬ１、ＤＬ２、・・・を介して映像信号電流を取込み記憶する。  
ｎ番目のラインに必要な映像信号が、対応する信号線ＤＬ１、ＤＬ２、・・・を介してｎ番目のラインの各画素部ＰＸに供給されると、次のｎ＋１番目のラインに必要な映像信号が、対応する信号線ＤＬ１、ＤＬ２、・・・を介してｎ＋１番目のラインの各画素部ＰＸに供給される。画素選択走査線Ｓ１ａ、Ｓ２ａ、・・・の選択は、画素選択走査線駆動回路１３０により行われる。
【００２０】
調光走査線駆動回路１４０は、各画素部ＰＸに記憶された映像信号に対応した発光電流を有機ＥＬ素子に供給するタイミングを指定する。  
なお、図示していないが、信号線駆動回路１０１、画素選択走査線駆動回路１３０、調光走査線駆動回路１４０及びシステム制御部１２０には、電源を供給するための電源ラインも導かれている。  
また、信号線駆動回路１０１、画素選択走査線駆動回路１３０、調光走査線駆動回路１４０及びシステム制御部１２０は、基板１００上に形成されても良く、基板１００の外に外部ＩＣとして設けられても良い。
【００２１】
図２は、信号線駆動回路１０１のデータ出力部ＤＯ１、ＤＯ２、・・・の構成を示す図である。  
データ出力部ＤＯ１、ＤＯ２、・・・は、入力端子を介して映像信号を取り込む。取込んだ映像信号はデータ出力部ＤＯ１、ＤＯ２、・・・において、行方向（Ｘ方向）の各画素部ＰＸ毎の映像信号電流に変換され、対応する信号線ＤＬ１、ＤＬ２、・・・に出力される。  
以下、データ出力部ＤＯ１を代表して構成と動作を説明する。
【００２２】
データ出力部ＤＯ１には、マルチプレクサ２００、スイッチ２０１、２０２、・・・、２０８、薄膜トランジスタ２１１、２１２、・・・、２１９が設けられている。  
マルチプレクサ２００は入力端子から供給されるシリアル信号である１ラインの映像信号のうち、所定の１画素単位の画素データを取込む。図２に示す例では、マルチプレクサ２００は、画素データを８ビットのデジタル信号に変換してその結果をスイッチ２０１、２０２、・・・のオンオフ状態として出力する。即ち、マルチプレクサ２００は、シリアル信号をパラレル信号に変換する。
【００２３】
スイッチ２０１、２０２、・・・の一方の端子は共通に信号線ＤＬ１に接続され、他方の端子はそれぞれ薄膜トランジスタ２１１、２１２、・・・のソースに接続されている。
【００２４】
薄膜トランジスタ２１１、２１２、・・・のドレインはアースライン（ＧＮＤ）に共通に接続され、更にそれぞれの薄膜トランジスタ２１１、２１２、・・・のゲートは共通に薄膜トランジスタ２１９のゲートに接続されている。  
一方、薄膜トランジスタ２１９のドレインはアースライン（ＧＮＤ）に接続され、ゲート・ドレイン間が接続されることにより定電流源を構成している。更に、薄膜トランジスタ２１９のソースは電源線ＰＶＤＤに接続されている。
【００２５】
従って、この構成により薄膜トランジスタ２１１、２１２、・・・、２１９はカレントミラー回路を形成し、それぞれの薄膜トランジスタ２１１、２１２、・・・は、それらに接続されているスイッチ２０１、２０２、・・・がオン状態にある間、薄膜トランジスタ２１９に流れる基準電流Ｉｒｅｆのそれぞれ１倍、２倍、４倍、・・・の大きさの電流を出力する。これにより、信号線ＤＬ１には画素データの階調に対応した電流が流れる。
【００２６】
図３は、信号線ＤＬ１，ＤＬ２，ＤＬ３に接続されている画素部ＰＸ（１，１）、ＰＸ（１，２）、ＰＸ（１，３）の構成例を示している。以下、画素部ＰＸ（１，１）を代表して説明する。
【００２７】
ＯＬＥＤ１は、対向した一対の電極間に光活性層を備えた表示素子である。この表示素子ＯＬＥＤ１のカソードは電源ＰＶＳＳに接続され、アノードはこの素子を駆動するための画素回路を介して電源線ＰＶＤＤに接続されている。表示素子は、ここでは光活性層として少なくとも有機発光層を含んだ有機ＥＬ素子であり、例えば、赤、緑、青色に発光する有機ＥＬ素子が基板１００上で所定の順序で配列している。
【００２８】
画素回路は、画素選択スイッチＳＷ１、駆動薄膜トランジスタＤＴｒ、補正用スイッチＳＷ２、出力スイッチＳＷ３を含み、例えばこれらはｐチャネル型薄膜トランジスタにより構成される。また、駆動薄膜トランジスタＤＴｒのゲート−ソース間電圧を保持可能なキャパシタＣＯを備える。
【００２９】
有機ＥＬ素子は出力スイッチＳＷ３を介して駆動薄膜トランジスタＤＴｒのドレインに接続し、駆動薄膜トランジスタＤＴｒのソースは電源線ＰＶＤＤに接続する。駆動薄膜トランジスタＤＴｒのゲートは、キャパシタＣＯ及び補正用スイッチＳＷ２のドレインに接続する。補正用スイッチＳＷ２は駆動薄膜トランジスタＤＴｒのゲートおよびドレイン間に接続され、そのゲートは画素選択走査線Ｓｌａに接続する。画素選択スイッチＳＷ１は、信号線および駆動薄膜トランジスタＤＴｒのドレイン間に接続され、そのゲートは画素選択走査線Ｓｌａに接続する。出力スイッチＳＷ３は、駆動薄膜トランジスタＤＴｒのドレイン及び有機ＥＬ素子間に接続され、そのゲートは調光走査線Ｓ１ｂに接続する。
【００３０】
図４は、映像信号書込み期間及び映像表示期間における画素部ＰＸの動作を示すタイムチャートである。  
映像信号書込み期間では、信号線駆動回路１０１は、階調電流を生成して映像信号電流として信号線ＤＬ１に供給する。画素ＰＸ（１，１）では、画素選択スイッチＳＷ１及び補正用スイッチＳＷ２をオンとして、信号線ＤＬ１より供給される映像信号電流によって駆動薄膜トランジスタＤＴｒのゲートソース間電圧を保持可能なキャパシタＣ０に書き込む。
【００３１】
次に映像表示期間において、画素ＰＸ（１，１）では、画素選択スイッチＳＷ１及び補正用スイッチＳＷ２をオフとする。調光走査線駆動回路１４０は、調光走査線Ｓ１ｂをアクティブ状態として調光走査線Ｓ１ｂに接続する出力スイッチＳＷ３をオンとする。そうすると、駆動薄膜トランジスタＤＴｒのゲートソース間電圧に対応した発光電流が表示素子ＯＬＥＤ１に流れ、表示素子ＯＬＥＤ１は発光電流に対応した輝度で発光する。
【００３２】
図５は、システム制御部１２０の構成を示すブロック図である。  
システム制御部１２０には、映像信号処理回路１２１、点灯率算出回路１２２、タイミング発生回路１２３、メモリ１２４、及び基準メモリ１２５が設けられている。
【００３３】
映像信号処理回路１２１は、入力端子１０２を介して映像信号を取り込み、その映像信号を信号線駆動回路１０１に出力すると共に、メモリ１２４に格納する。ここで、格納する映像信号は、１垂直期間の信号に限られず、複数垂直期間の映像信号を格納しても良い。
【００３４】
点灯率算出回路１２２は、メモリ１２４に格納された映像信号に基づいて点灯率を算出してタイミング発生回路に点灯率を出力する。点灯率は上述のように、それぞれの画素部ＰＸの有機ＥＬの発光輝度を積算した値である。ここで、有機ＥＬの発光輝度は発光電流と比例し、発光電流と映像信号の階調度とはリニアな関係にある。従って、点灯率算出回路１２２は、映像信号の階調度を発光電流値に変換した後、その値を積算することで点灯率を求めることができる。
【００３５】
点灯率の算出に際しては、種々のバリエーションの処理方法を採用することができる。  
積算する映像信号は適宜間引いたものであっても良い。例えば、Ｋ（自然数）行ごとの映像信号を積算しても良く、Ｌ（自然数）列ごとの映像信号を積算しても良い。但し、列の映像信号は、ＲＧＢの映像信号をセットとして含むことが必要である。  
また、上述のように複数垂直期間の信号に対して上述の演算を行っても良く、その際、Ｊ（自然数）垂直期間ごとの映像信号を積算して処理しても良い。複数垂直期間の映像信号を処理対象とすることによって算出された点灯率が平均化された安定した値とすることができる。
【００３６】
タイミング発生回路１２３は、映像を表示させるための各種のタイミング信号を出力するが、その際、例えば基準メモリ１２５に記載されたテーブルを参照して、算出された点灯率から制御方法を抽出し、その制御方法に従って調光走査線駆動回路１４０に点灯率制御用のタイミング信号を出力する。
【００３７】
図６は、点灯率制御動作を簡略化して説明する図である。  
本実施の形態では、調光走査線駆動回路１４０を制御して、出力スイッチＳＷ３をオフとすることによって画素を非点灯状態とする。
【００３８】
図６（ａ）はアクティブマトリクス型表示装置の構成を模式的に示している。斜線を付した部分は書込み行３００であり、画素走査線駆動回路１３０によって選択された行の各画素に信号線駆動回路１０１からの映像信号が書き込まれている状態を表している。  
図６（ｂ）は、表示部１５０の点灯状態を示している。斜線を付した領域は有機ＥＬ素子ＯＬＥＤが発光していない非点灯領域３０１であり、白抜きの領域は有機ＥＬ素子ＯＬＥＤが発光している点灯領域３０２である。
【００３９】
図６（１）は書込み行３００が第ｎ行目の状態を示しており、このとき表示部１５０では、第Ｘ１行目から第Ｘ２行目の画素が点灯状態にあり、それ以外の画素は非点灯状態にある。これは、第Ｘ１行目から第Ｘ２行目の画素の出力スイッチＳＷ３がオンとなり、それ以外の画素の出力スイッチＳＷ３がオフとなっていることによる。  
図６（２）は書込み行３００が第ｎ＋１行目の状態を示しており、このとき表示部１５０では、第Ｘ１＋１行目から第Ｘ２＋１行目の画素が点灯状態にあり、それ以外の画素は非点灯状態にある。  
このように非点灯領域３０１及び点灯領域３０２は、水平同期信号に同期して１画素行ずつ位置がシフトし、１つの非点灯領域３０１及び点灯領域３０２が画面の上から下方向に帯状に移動する。
【００４０】
図７は、本実施の形態の点灯率制御動作を示す模式図である。  
表示部１５０には、非点灯領域３０１が複数設けられ、この複数の非点灯領域３０１が画面の上から下方向に帯状に移動する。  
そして、点灯率が大きいときは非点灯領域３０１の幅が太く、点灯率が小さいときは非点灯領域３０１の幅が細くなる様に制御される。
【００４１】
なお、点灯率の変化に対応して非点灯領域３０１の幅を制御する際は、点灯率を複数の範囲（レンジ）に分割し、点灯率が所定の範囲（レンジ）内にある場合は非点灯領域３０１の幅を維持するようにする。この動作は、例えば、点灯率の範囲と非点灯領域３０１の幅とを複数組規定した基準を用いて実現しても良い。なお、その基準は基準メモリ１２５に格納されている。  
さらに上述のように、点灯率は積算する映像信号を適宜間引いたものであっても良く、複数垂直期間の信号を積算して処理したものであっても良い。  
なお、表示部１５０に表示される非点灯領域３０１間の幅は表示のムラを低減することを考えると、等間隔であることが望ましいが、これに限られるものではない。
【００４２】
このように、本実施の形態に係るアクティブマトリクス型表示装置では、次のような特徴と効果を備えている。
【００４３】
（１）表示部１５０には複数本の非点灯領域３０１が表示される。そして表示部１５０に表示される複数本の非点灯領域３０１が、表示部１５０上を上から下方向に移動する。このため、非点灯領域３０１の本数が１本の場合と比べると、輝度変化の周波数が高くなりフリッカの抑制を図ることができる。
【００４４】
（２）更に表示部１５０に表示される非点灯領域３０１の本数は変化させず一定である。従って、本数を変化させる制御方式と比較すると、本数変化によって生ずる輝度変化によるフリッカを低減することができる。
【００４５】
（３）点灯率は複数垂直期間の映像信号を積算して処理したものであっても良い。複数垂直期間の映像信号を処理対象とすることによって、算出された点灯率を平均化された安定した値とすることができる。このため、点灯率の変化による急激な輝度変化を防止することができ、さらに制御周期を長くすることができるため、フリッカの発生を低減することができる。
【００４６】
（４）上述のように、本実施の形態では非点灯領域の本数は変化させず一定であるため、一垂直期間における発光電流の断続回数が一定となっている。この結果、断続に伴って発生するノイズの周波数が一定となりノイズ対策が容易となる。即ち、ノイズに伴って発生する画面ビート縞の対策が容易となり、外部回路に必要とされるコンデンサなどのノイズ対策部品を削減することができ、回路外形サイズの縮小を図ることができる。さらに、ノイズ対策が確実となるため素子の性能が向上し実装部品の信頼性向上を図ることが可能となる。
【００４７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４８】
【図１】本発明の実施の形態に係るアクティブマトリクス型表示装置を概略的に示すブロック図。
【図２】信号線駆動回路のデータ出力部の構成を示す図。
【図３】信号線に接続されている画素部の構成を示す図。
【図４】映像信号書込み期間及び映像表示期間における画素部の動作を示すタイムチャート。
【図５】システム制御部の構成を示すブロック図。
【図６】点灯率制御動作を簡略化して説明する図。
【図７】本実施の形態の点灯率制御動作を示す模式図。
【符号の説明】
【００４９】
１０…表示装置、１０１…信号線駆動回路、１２０…システム制御部、１２１…映像信号処理回路、１２２…点灯率算出回路、１２３…タイミング発生回路、１２４…メモリ、１２５…基準メモリ、１３０…画素選択走査線駆動回路、１４０…調光走査線駆動回路、１５０…表示部、２００…マルチプレクサ、２０１〜２０８…スイッチ、２１１〜２１９…薄膜トランジスタ、３００…書込み行、３０１…非点灯領域、３０２…点灯領域、Ｃ０…キャパシタ、ＤＬ…信号線、ＤＴｒ…駆動薄膜トランジスタ、ＯＬＥＤ…表示素子、ＤＯ１〜ＤＯ５…データ出力部、ＰＸ…画素部、Ｓ１ａ…画素選択走査線、Ｓ１ｂ…調光走査線、ＳＷ１…画素選択スイッチ、ＳＷ２…補正用スイッチ、ＳＷ３…出力スイッチ。
【図１】
2009265339.tif 000003
【図２】
2009265339.tif 000004
【図３】
2009265339.tif 000005
【図４】
2009265339.tif 000006
【図５】
2009265339.tif 000007
【図６】
2009265339.tif 000008
【図７】
2009265339.tif 000009